【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
コピー制限された暗号化コンテンツデータを記録媒体間で移動するコンテンツ管理方法において、
移動元記録媒体から移動先記録媒体に暗号化コンテンツデータを移動する際、前記移動元記録媒体に記録されている暗号化コンテンツデータは削除せずに再生権利を消滅させ、
前記移動先記録媒体から前記移動元記録媒体へ暗号化コンテンツデータを再び移動する際、前記移動元記録媒体に暗号化コンテンツデータを再記録せずに再生権利を復活させることを特徴とするコンテンツ管理方法。
【請求項２】
コピー制限された暗号化コンテンツデータを記録媒体間で移動するコンテンツ管理方法において、
移動先記録媒体に再生権利の無い暗号化コンテンツデータが記録されており、移動元記録媒体から前記移動先記録媒体に暗号化コンテンツデータを移動する際、前記移動元記録媒体から前記移動先記録媒体にコンテンツデータの再生権利を移動させることを特徴とするコンテンツデータ管理方法。
【請求項３】
前記移動元記録媒体と前記移動先記録媒体は暗号化コンテンツデータに付随して少なくとも圧縮比と圧縮方式を含むコンテンツデータ品位を示すパラメータを記録可能であり、前記パラメータは暗号化コンテンツデータに付随して移動されることを特徴とする請求項１または請求項２記載のコンテンツ管理方法。
【請求項４】
前記移動元記録媒体から前記移動先記録媒体に暗号化コンテンツデータを移動する際、前記移動元記録媒体と前記移動先記録媒体の前記パラメータを比較し、前記移動先記録媒体のパラメータが前記移動元記録媒体のパラメータより低品位である場合は、移動した暗号化コンテンツを前記移動先記録媒体に上書き記録し、
前記移動先記録媒体のパラメータが前記移動元記録媒体のパラメータより高品位である場合は、暗号化コンテンツを移動せずに再生権を移動することを特徴とする請求項３記載のコンテンツ管理方法。
【請求項５】
前記移動元記録媒体から前記移動先記録媒体に暗号化コンテンツデータを移動する際、前記移動元記録媒体と前記移動先記録媒体の前記パラメータを比較し、比較結果に基いて前記移動先記録媒体の前記パラメータを移動元記録済み品位か移動先記録済み品位にすることを特徴とする請求項４記載のコンテンツ管理方法。
【請求項６】
コピー制限された暗号化圧縮コンテンツデータを記録媒体間で移動するコンテンツ管理方法において、
移動元記録媒体から移動先記録媒体に暗号化圧縮コンテンツデータを圧縮比を変えて移動する際、前記移動元記録媒体に記録されている暗号化圧縮コンテンツデータは削除せずに再生権利を消滅させ、
前記移動先記録媒体から前記移動元記録媒体へ暗号化圧縮コンテンツデータを再び移動する際、前記移動元記録媒体に暗号化圧縮コンテンツデータを再記録せずに再生権利を復活させることを特徴とするコンテンツ管理方法。
【請求項７】
前記移動元記録媒体と前記移動先記録媒体は複数の暗号化圧縮コンテンツデータを記録可能であり、暗号化圧縮コンテンツデータ毎に再生権利の有無を設定可能であることを特徴とする請求項６記載のコンテンツ管理方法。
【請求項８】
前記移動元記録媒体と前記移動先記録媒体は複数の暗号化圧縮コンテンツデータを記録可能であり、前記移動元記録媒体と前記移動先記録媒体は暗号化圧縮コンテンツデータ毎に再生権利の有無を示すフラグがコンテンツデータ管理制御情報として同一データファイルに纏めてあることを特徴とする請求項６記載のコンテンツ管理方法。
【請求項９】
コピー制限された暗号化コンテンツデータを記録媒体間で移動する記録再生装置において、
移動元記録媒体から移動先記録媒体に暗号化コンテンツデータを移動する際、前記移動元記録媒体に記録されている暗号化コンテンツデータは削除せずに再生権利を消滅させる手段と、
前記移動先記録媒体から前記移動元記録媒体へ暗号化コンテンツデータを再び移動する際、前記移動元記録媒体に暗号化コンテンツデータを再記録せずに再生権利を復活させる手段を具備することを特徴とする記録再生装置。
【請求項１０】
コピー制限された暗号化コンテンツデータを記録媒体間で移動する記録再生装置において、
移動先記録媒体に再生権利の無い暗号化コンテンツデータが記録されており、移動元記録媒体から前記移動先記録媒体に暗号化コンテンツデータを移動する際、前記移動元記録媒体から前記移動先記録媒体にコンテンツデータの再生権利を移動させる手段を具備することを特徴とする記録再生装置。
【請求項１１】
前記移動元記録媒体と前記移動先記録媒体は暗号化コンテンツデータに付随して少なくとも圧縮比と圧縮方式を含むコンテンツデータ品位を示すパラメータを記録可能であり、前記パラメータは暗号化コンテンツデータに付随して移動されることを特徴とする請求項９または請求項１０記載の記録再生装置。
【請求項１２】
前記移動元記録媒体から前記移動先記録媒体に暗号化コンテンツデータを移動する際、前記移動元記録媒体と前記移動先記録媒体の前記パラメータを比較し、前記移動先記録媒体のパラメータが前記移動元記録媒体のパラメータより低品位である場合は、移動した暗号化コンテンツを前記移動先記録媒体に上書き記録し、
前記移動先記録媒体のパラメータが前記移動元記録媒体のパラメータより高品位である場合は、暗号化コンテンツを移動せずに再生権を移動することを特徴とする請求項１１記載の記録再生装置。
【請求項１３】
前記移動元記録媒体から前記移動先記録媒体に暗号化コンテンツデータを移動する際、前記移動元記録媒体と前記移動先記録媒体の前記パラメータを比較し、比較結果に基いて前記移動先記録媒体の前記パラメータを移動元記録済み品位か移動先記録済み品位にすることを特徴とする請求項１２記載の記録再生装置。
【請求項１４】
コピー制限された暗号化圧縮コンテンツデータを記録媒体間で移動する記録再生装置において、
移動元記録媒体から移動先記録媒体に暗号化圧縮コンテンツデータを圧縮比を変えて移動する際、前記移動元記録媒体に記録されている暗号化圧縮コンテンツデータは削除せずに再生権利を消滅させる手段と、
前記移動先記録媒体から前記移動元記録媒体へ暗号化圧縮コンテンツデータを再び移動する際、前記移動元記録媒体に暗号化圧縮コンテンツデータを再記録せずに再生権利を復活させる手段と、
を具備することを特徴とする記録再生装置。
【請求項１５】
前記移動元記録媒体と前記移動先記録媒体は複数の暗号化圧縮コンテンツデータを記録可能であり、暗号化圧縮コンテンツデータ毎に再生権利の有無を設定可能であることを特徴とする請求項１４記載の記録再生装置。
【請求項１６】
前記移動元記録媒体と前記移動先記録媒体は複数の暗号化圧縮コンテンツデータを記録可能であり、前記移動元記録媒体と前記移動先記録媒体は暗号化圧縮コンテンツデータ毎に再生権利の有無を示すフラグがコンテンツデータ管理制御情報として同一データファイルに纏めてあることを特徴とする請求項１４記載の記録再生装置。
【請求項１７】
コピー制限された暗号化コンテンツデータを記録媒体間で移動するコンテンツ管理プログラムを記録する記録媒体において、
前記プログラムは移動元記録媒体から移動先記録媒体に暗号化コンテンツデータを移動する際、前記移動元記録媒体に記録されている暗号化コンテンツデータは削除せずに再生権利を消滅させ、
前記移動先記録媒体から前記移動元記録媒体へ暗号化コンテンツデータを再び移動する際、前記移動元記録媒体に暗号化コンテンツデータを再記録せずに再生権利を復活させることを特徴とする記録媒体。
【請求項１８】
コピー制限された暗号化コンテンツデータを記録媒体間で移動するコンテンツ管理プログラムを記録する記録媒体において、
移動先記録媒体に再生権利の無い暗号化コンテンツデータが記録されており、移動元記録媒体から前記移動先記録媒体に暗号化コンテンツデータを移動する際、前記移動元記録媒体から前記移動先記録媒体にコンテンツデータの再生権利を移動させることを特徴とする記録媒体。
【手続補正２】
【補正対象書類名】明細書
【補正対象項目名】００１６
【補正方法】変更
【補正の内容】
【００１６】
本発明の一実施態様によれば、コピー制限された暗号化コンテンツデータを記録媒体間で移動するコンテンツ管理方法において、移動元記録媒体から移動先記録媒体に暗号化コンテンツデータを移動する際、前記移動元記録媒体に記録されている暗号化コンテンツデータは削除せずに再生権利を消滅させ、前記移動先記録媒体から前記移動元記録媒体へ暗号化コンテンツデータを再び移動する際、前記移動元記録媒体に暗号化コンテンツデータを再記録せずに再生権利を復活させる。
本発明の他の実施態様によれば、コピー制限された暗号化コンテンツデータを記録媒体間で移動するコンテンツ管理方法において、移動先記録媒体に再生権利の無い暗号化コンテンツデータが記録されており、移動元記録媒体から前記移動先記録媒体に暗号化コンテンツデータを移動する際、前記移動元記録媒体から前記移動先記録媒体にコンテンツデータの再生権利を移動させる。
本発明の他の実施態様によれば、コピー制限された暗号化圧縮コンテンツデータを記録媒体間で移動するコンテンツ管理方法において、移動元記録媒体から移動先記録媒体に暗号化圧縮コンテンツデータを圧縮比を変えて移動する際、前記移動元記録媒体に記録されている暗号化圧縮コンテンツデータは削除せずに再生権利を消滅させ、前記移動先記録媒体から前記移動元記録媒体へ暗号化圧縮コンテンツデータを再び移動する際、前記移動元記録媒体に暗号化圧縮コンテンツデータを再記録せずに再生権利を復活させる。
本発明の他の実施態様によれば、コピー制限された暗号化コンテンツデータを記録媒体間で移動する記録再生装置は、移動元記録媒体から移動先記録媒体に暗号化コンテンツデータを移動する際、前記移動元記録媒体に記録されている暗号化コンテンツデータは削除せずに再生権利を消滅させる手段と、前記移動先記録媒体から前記移動元記録媒体へ暗号化コンテンツデータを再び移動する際、前記移動元記録媒体に暗号化コンテンツデータを再記録せずに再生権利を復活させる手段を具備する。
本発明の他の実施態様によれば、コピー制限された暗号化コンテンツデータを記録媒体間で移動する記録再生装置は、移動先記録媒体に再生権利の無い暗号化コンテンツデータが記録されており、移動元記録媒体から前記移動先記録媒体に暗号化コンテンツデータを移動する際、前記移動元記録媒体から前記移動先記録媒体にコンテンツデータの再生権利を移動させる手段を具備する。
本発明の他の実施態様によれば、コピー制限された暗号化圧縮コンテンツデータを記録媒体間で移動する記録再生装置において、移動元記録媒体から移動先記録媒体に暗号化圧縮コンテンツデータを圧縮比を変えて移動する際、前記移動元記録媒体に記録されている暗号化圧縮コンテンツデータは削除せずに再生権利を消滅させる手段と、前記移動先記録媒体から前記移動元記録媒体へ暗号化圧縮コンテンツデータを再び移動する際、前記移動元記録媒体に暗号化圧縮コンテンツデータを再記録せずに再生権利を復活させる手段と、
を具備する。
本発明の他の実施態様によれば、コピー制限された暗号化コンテンツデータを記録媒体間で移動するコンテンツ管理プログラムを記録する記録媒体において、前記プログラムは移動元記録媒体から移動先記録媒体に暗号化コンテンツデータを移動する際、前記移動元記録媒体に記録されている暗号化コンテンツデータは削除せずに再生権利を消滅させ、前記移動先記録媒体から前記移動元記録媒体へ暗号化コンテンツデータを再び移動する際、前記移動元記録媒体に暗号化コンテンツデータを再記録せずに再生権利を復活させる。
本発明の他の実施態様によれば、コピー制限された暗号化コンテンツデータを記録媒体間で移動するコンテンツ管理プログラムを記録する記録媒体において、移動先記録媒体に再生権利の無い暗号化コンテンツデータが記録されており、移動元記録媒体から前記移動先記録媒体に暗号化コンテンツデータを移動する際、前記移動元記録媒体から前記移動先記録媒体にコンテンツデータの再生権利を移動させる。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００４８
【補正方法】変更
【補正の内容】
【００４８】
図３に、秘匿情報再生技術を用いてムーブ処理を可能とする著作権保護方式を説明するための図を示す。秘匿情報記録再生技術を用いることで暗号化タイトル鍵ファイルを読み出してバックアップしておき記録媒体に戻す行為を防止することができる。図１と同一箇所は同一符号を付している。
【手続補正１９】
【補正対象書類名】明細書
【補正対象項目名】００７８
【補正方法】変更
【補正の内容】
【００７８】
一方でムーブ処理は重要な機能であるが、機能を最大限に活用できる再エンコードを取り入れると、元の高品位コンテンツ利用が不可能になる。このように、丸ごとコピー防止や正規のムーブ処理後にコンテンツタイトル鍵が消去された記録媒体を、違法処理でタイトル鍵を復活させる方法で、消去されたことになっている暗号化コンテンツを復活させる違法コピーは、新しい著作権保護システムを使えば、ムーブ機能は実現できるが、コンテンツの再エンコードのような処理がムーブ処理で利用されると、コンテンツ品位の劣化を元に戻す工程がなくなってしまう。